(57)【要約】【課題】高精細な画像を表示することができる画像表示装置の提供。【解決手段】画像表示装置４は、画像を生成するＧＰＵ４３と、ＧＰＵ４３にて生成され、転送された画像の解像度を調整し、調整した画像を出力するスケーラ４５と、スケーラ４５にて出力された画像を表示する表示手段４１と、ＧＰＵ４３、及びスケーラ４５を制御する制御手段４７とを備える。制御手段４７は、分割転送部４７３と、画像合成部４７４とを備える。分割転送部４７３は、表示手段４１に表示させる全体画像を分割した画像をＧＰＵ４３に転送させる。画像合成部４７４は、分割転送部４７３にて転送された画像をスケーラ４５に合成させる。【選択図】図１
2009195370.tif 000002
【特許請求の範囲】
【請求項１】
画像を生成する画像生成手段と、前記画像生成手段にて生成され、転送された画像の解像度を調整し、調整した画像を出力する解像度調整手段と、前記解像度調整手段にて出力された画像を表示する表示手段と、前記画像生成手段、及び前記解像度調整手段を制御する制御手段とを備える画像表示装置であって、
前記制御手段は、
前記表示手段に表示させる全体画像を分割した画像を前記画像生成手段に転送させる分割転送部と、
前記分割転送部にて転送された画像を前記解像度調整手段に合成させる画像合成部とを備えることを特徴とする画像表示装置。
【請求項２】
請求項１に記載の画像表示装置において、
前記制御手段は、
前記全体画像を分割した分割画像を前記画像生成手段に生成させる分割画像生成部を備え、
前記分割転送部は、前記分割画像を前記画像生成手段に転送させることを特徴とする画像表示装置。
【請求項３】
請求項１に記載の画像表示装置において、
前記制御手段は、
前記全体画像を前記画像生成手段に生成させる全体画像生成部を備え、
前記分割転送部は、前記画像生成手段に前記全体画像を分割して転送させることを特徴とする画像表示装置。
【請求項４】
請求項１から請求項３のいずれかに記載の画像表示装置において、
前記制御手段は、
前記分割転送部、及び前記画像合成部にて前記画像生成手段、及び前記解像度調整手段を制御するか否かを切り替える制御切替部を備えることを特徴とする画像表示装置。
【請求項５】
請求項１から請求項４のいずれかに記載の画像表示装置を備えることを特徴とする遊技機。
【請求項６】
画像を生成する画像生成手段と、前記画像生成手段にて生成され、転送された画像の解像度を調整し、調整した画像を出力する解像度調整手段と、前記解像度調整手段にて出力された画像を表示する表示手段と、前記画像生成手段、及び前記解像度調整手段を制御する制御手段とを備える画像表示装置に用いられる画像表示方法であって、
前記制御手段が、
前記表示手段に表示させる全体画像を分割した画像を前記画像生成手段に転送させる分割転送ステップと、
前記分割転送ステップにて転送された画像を前記解像度調整手段に合成させる画像合成ステップとを実行することを特徴とする画像表示方法。
【請求項７】
画像を生成する画像生成手段と、前記画像生成手段にて生成され、転送された画像の解像度を調整し、調整した画像を出力する解像度調整手段と、前記解像度調整手段にて出力された画像を表示する表示手段と、前記画像生成手段、及び前記解像度調整手段を制御する制御手段とを備える画像表示装置に用いられる画像表示プログラムであって、
前記制御手段に、
前記表示手段に表示させる全体画像を分割した画像を前記画像生成手段に転送させる分割転送ステップと、
前記分割転送ステップにて転送された画像を前記解像度調整手段に合成させる画像合成ステップとを実行させることを特徴とする画像表示プログラム。
【発明の詳細な説明】
【技術分野】
【０００１】
本発明は、画像表示装置、遊技機、画像表示方法、および画像表示プログラムに関する。
【背景技術】
【０００２】
従来、パチンコ機等の遊技機において、所定の演出パターンの画像を表示する画像表示装置を備えた構成が知られている（例えば、特許文献１参照）。
特許文献１に記載の画像表示装置は、画像データを記憶するＣＧＲＯＭ(Character Generator Read Only Memory)と、ＣＧＲＯＭに記憶された画像データに基づく画像を生成するＶＤＰ(Video Display Processor)と、ＶＤＰ（画像生成手段）にて生成され、転送された画像を表示する表示部（表示手段）と、ＶＤＰを制御する制御手段としてのＣＰＵ（Central Processing Unit）とを備えている。
【０００３】
ここで、画像生成手段にて転送可能な画像の解像度が小さく、表示手段における表示領域の解像度と異なる場合には、画像生成手段にて生成された画像をスケーラ（解像度調整手段）と呼ばれる解像度を調整するデバイスに転送する。このスケーラは、画像生成手段にて生成された画像の解像度を、表示手段における表示領域の解像度と同じ解像度に調整し、調整した画像を表示手段に出力する。これにより、表示手段は、表示領域の解像度と同じ解像度の画像を表示することができる。
【０００４】
【特許文献１】特開２００６−１６７０９２号公報
【発明の開示】
【発明が解決しようとする課題】
【０００５】
しかしながら、画像生成手段にて生成された画像の解像度をスケーラにて調整すると、単純に画像を拡大することで表示手段における表示領域の解像度と同じ解像度に調整するので、画質が粗くなり高精細な画像を表示することができないという問題がある。
【０００６】
本発明の目的は、高精細な画像を表示することができる画像表示装置、遊技機、画像表示方法、及び画像表示プログラムを提供することにある。
【課題を解決するための手段】
【０００７】
本発明の画像表示装置は、画像を生成する画像生成手段と、前記画像生成手段にて生成され、転送された画像の解像度を調整し、調整した画像を出力する解像度調整手段と、前記解像度調整手段にて出力された画像を表示する表示手段と、前記画像生成手段、及び前記解像度調整手段を制御する制御手段とを備える画像表示装置であって、前記制御手段は、前記表示手段に表示させる全体画像を分割した画像を前記画像生成手段に転送させる分割転送部と、前記分割転送部にて転送された画像を前記解像度調整手段に合成させる画像合成部とを備えることを特徴とする。
【０００８】
このような構成によれば、分割転送部は、表示手段に表示させる全体画像を分割した画像を画像生成手段に転送させ、画像合成部は、分割転送部にて転送された画像を解像度調整手段に合成させることができる。したがって、画像生成手段にて転送可能な画像の解像度が小さい場合であっても、解像度調整手段は、画像生成手段にて転送された画像を合成して高精細な画像とすることができる。そして、表示手段は、解像度調整手段から出力された画像を表示するので、画像表示装置は、高精細な画像を表示することができる。
【０００９】
ここで、全体画像の解像度は、例えば、表示手段における表示領域の解像度と同じ解像度であってもよく、小さい解像度であってもよい。要するに、画像生成手段にて転送可能な画像の解像度より大きい解像度であればよい。
なお、全体画像の解像度を、表示手段における表示領域の解像度より小さく、画像生成手段にて転送可能な画像の解像度より大きい解像度とした場合には、解像度調整手段にて解像度を調整してもよい。これによれば、例えば、画像生成手段にて転送された画像の解像度を、表示手段における表示領域の解像度と同じ解像度の画像に調整するには、解像度調整手段は、全体画像の解像度を、画像生成手段にて転送可能な画像の解像度としたときの拡大率と比較して小さい拡大率で調整することができる。したがって、画像表示装置は、このような場合であっても高精細な画像を表示することができる。
【００１０】
本発明では、前記制御手段は、前記全体画像を分割した分割画像を前記画像生成手段に生成させる分割画像生成部を備え、前記分割転送部は、前記分割画像を前記画像生成手段に転送させることが好ましい。
【００１１】
このような構成によれば、例えば、画像生成手段は、全体画像を半分に分割した分割画像を生成、及び転送する場合には、一方の分割画像を生成、及び転送する時間と、他方の分割画像を生成、及び転送する時間とを同じ時間にすることができる。したがって、全体画像を分割した画像を効率よく画像生成手段に転送させることができる。
【００１２】
本発明では、前記制御手段は、前記全体画像を前記画像生成手段に生成させる全体画像生成部を備え、前記分割転送部は、前記画像生成手段に前記全体画像を分割して転送させることが好ましい。
【００１３】
例えば、前述したＣＧＲＯＭには、文字や絵柄等のキャラクタ画像データが記憶され、画像生成手段は、このキャラクタ画像データを組み合わせることで画像を生成している。このため、前述したように、画像生成手段に分割画像を生成させると、その分割部分にキャラクタ画像データが配置されるような画像の場合には、画像を生成しにくいという問題がある。
本発明によれば、画像生成手段は、全体画像を生成するので、ＣＧＲＯＭに記憶されたキャラクタ画像データに基づく画像を生成しやすくすることができる。
【００１４】
本発明では、前記制御手段は、前記分割転送部、及び前記画像合成部にて前記画像生成手段、及び前記解像度調整手段を制御するか否かを切り替える制御切替部を備えることが好ましい。
【００１５】
このような構成によれば、例えば、本発明の画像表示装置を遊技機に用いた場合には、通常時や、演出発生時などのシーンの切り替えに応じてスケーラにて拡大された画像を表示手段に表示させるか、高精細な画像を表示手段に表示させるかを切り替えることができ、効率よく表示手段に画像を表示させることができる。
【００１６】
本発明の遊技機は、前述した画像表示装置を備えることを特徴とする。
このような構成によれば、前述した画像表示装置と同様の作用効果を奏することができる。
【００１７】
本発明の画像表示方法は、画像を生成する画像生成手段と、前記画像生成手段にて生成され、転送された画像の解像度を調整し、調整した画像を出力する解像度調整手段と、前記解像度調整手段にて出力された画像を表示する表示手段と、前記画像生成手段、及び前記解像度調整手段を制御する制御手段とを備える画像表示装置に用いられる画像表示方法であって、前記制御手段が、前記表示手段に表示させる全体画像を分割した画像を前記画像生成手段に転送させる分割転送ステップと、前記分割転送ステップにて転送された画像を前記解像度調整手段に合成させる画像合成ステップとを実行することを特徴とする。
このような構成によれば、前述した画像表示装置と同様の作用効果を奏することができる。
【００１８】
本発明の画像表示プログラムは、画像を生成する画像生成手段と、前記画像生成手段にて生成され、転送された画像の解像度を調整し、調整した画像を出力する解像度調整手段と、前記解像度調整手段にて出力された画像を表示する表示手段と、前記画像生成手段、及び前記解像度調整手段を制御する制御手段とを備える画像表示装置に用いられる画像表示プログラムであって、前記制御手段に、前記表示手段に表示させる全体画像を分割した画像を前記画像生成手段に転送させる分割転送ステップと、前記分割転送ステップにて転送された画像を前記解像度調整手段に合成させる画像合成ステップとを実行させることを特徴とする。
このような構成によれば、前述した画像表示方法と同様の作用効果を奏することができる。
【発明を実施するための最良の形態】
【００１９】
〔第１実施形態〕
以下、本発明の第１実施形態を図面に基づいて説明する。
〔パチンコ機の概略構成〕
図１は、パチンコ機１の概略構成を示すブロック図である。
遊技機としてのパチンコ機１は、遊技者の操作により遊技球を遊技盤上に打ち出し、打ち出された遊技球が遊技盤に設けられた入賞口に入賞した場合に、所定数の遊技球を払い出すものである。このパチンコ機１は、図１に示すように、遊技機構２と、主制御装置３と、画像表示装置４を備える。
【００２０】
遊技機構２は、遊技盤２１と、球打ち出し機構２２と、払出装置２３とを備える。
遊技盤２１は、図示は省略するが、遊技面（遊技者側の面）に遊技球を導く複数の釘および風車等が配設されるとともに、遊技球が入賞すると主制御装置３に抽選処理を実行させるスタートチャッカー２１１や、主制御装置３の抽選処理に当選した場合に開放される大入賞口（アタッカー）２１２等の入賞口が所定位置に設けられている。また、遊技面には開口が形成され、この開口から画像表示装置４を構成する表示手段４１における表示領域が露出している。なお、表示手段４１については後述する。
【００２１】
球打ち出し機構２２は、遊技盤２１上に遊技球を打ち出すものであり、例えば、回動操作可能なハンドルと、このハンドルの回動角度に応じた力で遊技盤２１上に遊技球を打ち出すモータ等で構成される。
払出装置２３は、スタートチャッカー２１１や、大入賞口２１２等の入賞口に遊技球が入賞した際に所定数の遊技球を払い出す。
【００２２】
主制御装置３は、例えば、ＣＰＵ等を含んで構成され、前述した抽選処理を実施する他、パチンコ機１全体を制御する。また、主制御装置３は、抽選処理の結果に応じた制御コマンドを画像表示装置４に出力し、画像表示装置４に抽選処理の結果に応じた演出パターンの動画像等を表示させる。
【００２３】
画像表示装置４は、主制御装置３からの制御コマンドに応じて、所定の演出パターンの動画像等を表示するものであり、表示手段４１と、ＣＧＲＯＭ４２と、ＧＰＵ（Graphics Processing Unit）４３と、表示バッファ４４と、スケーラ４５と、フレームバッファ４６と、制御手段４７とを備える。
【００２４】
表示手段４１は、液晶パネルおよびバックライトを備えて構成され、入力される画像を所定の表示領域に表示する。また、表示手段４１における表示領域は、遊技盤２１の遊技面における開口から露出しているので、パチンコ機１の遊技者は、表示手段４１における表示領域に表示される画像を遊技盤２１の開口を介して見ることができる。なお、本実施形態では、表示手段４１における表示領域の解像度は、１０２４×７６８（水平１０２４ピクセル×垂直７６８ライン）であるものとし、リフレッシュレートは、６０Ｈｚであるものとする。
また、表示手段４１は、液晶パネルおよびバックライトを備える構成に限らず、例えば、有機ＥＬ（Electro Luminescence）素子等を備える構成を採用してもよい。
ＣＧＲＯＭ４２は、画像データを記憶するものであり、例えば、文字や絵柄等のキャラクタ画像データや、これらのキャラクタ画像データと合成する静止画像データ等から構成されている。
【００２５】
画像生成手段としてのＧＰＵ４３は、ＣＧＲＯＭ４２に記憶された画像データに基づく画像を生成し、生成した画像をスケーラ４５に転送する。具体的に、ＧＰＵ４３は、制御手段４７による制御の下、ＣＧＲＯＭ４２に記憶された画像データに基づいて１フレーム分の画像を生成し、生成した画像を表示バッファ４４に仮想的に描画することで記憶させる。表示バッファ４４は、ＧＰＵ４３にて生成された画像を記憶するものであり、ＧＰＵ４３は、この表示バッファ４４に記憶された画像をスケーラ４５に転送する。
また、ＧＰＵ４３は、図示しない水晶振動子を備え、この水晶振動子の出力に基づくドットクロックに応じて画像を転送する。なお、本実施形態では、ＧＰＵ４３のドットクロックは略３７ＭＨｚとする。そして、ＧＰＵ４３から転送される画像の解像度、及びリフレッシュレートは、このドットクロックと、画像の水平周期および垂直周期とにより定まる。
【００２６】
ここで、水平周期は、水平方向における画素１ライン分の画像の出力期間と、画像を描画する際に同期をとるための水平同期信号などが含まれる水平ブランキング期間とを加算した周期であり、ピクセル数を単位として表したものである。すなわち、水平周期のピクセル数には、水平ブランキング期間に相当するピクセル数が含まれるので、水平方向における画像のピクセル数よりも大きく設定する必要がある。
また、垂直周期は、垂直方向における画素１フレーム分の画像の出力期間と、画像を描画する際に同期をとるための垂直同期信号などが含まれる垂直ブランキング期間とを加算した周期であり、ライン数を単位として表したものである。すなわち、垂直周期のライン数には、垂直ブランキング期間に相当するライン数が含まれるので、垂直方向における画像のライン数よりも大きく設定する必要がある。
【００２７】
なお、ＧＰＵ４３における水平周期、垂直周期、および画像の解像度は、後述する制御手段４７により設定される。
したがって、例えば、ＧＰＵ４３にて生成される画像の解像度を、８００×６００に設定すると、ＧＰＵ４３のドットクロックは、略３７ＭＨｚであるので、ＧＰＵ４３から転送される画像のリフレッシュレートを６０Ｈｚとすることができる。
【００２８】
解像度調整手段としてのスケーラ４５は、入力される画像の解像度を調整して表示手段４１に出力する。具体的に、スケーラ４５は、制御手段４７による制御の下、ＧＰＵ４３から転送される画像をフレームバッファ４６に仮想的に描画することで記憶させる。そして、スケーラ４５は、フレームバッファ４６に記憶された画像の解像度を調整し、調整した画像を表示手段４１に出力する。
また、スケーラ４５は、ＧＰＵ４３と同様に、図示しない水晶振動子を備え、この水晶振動子の出力に基づくドットクロックに応じて画像を出力する。なお、本実施形態では、スケーラ４５のドットクロックは略６５ＭＨｚとする。そして、スケーラ４５から出力される画像の解像度、及びリフレッシュレートは、このドットクロックと、画像の水平周期および垂直周期とにより定まる。
【００２９】
例えば、前述したように、ＧＰＵ４３にて転送される画像の解像度を、８００×６００に指定すると、スケーラ４５は、ＧＰＵ４３のドットクロックと、ＧＰＵ４３から転送される画像に含まれる水平同期信号および垂直同期信号とに同期して解像度が８００×６００の画像をフレームバッファ４６に仮想的に描画することで記憶させる。そして、フレームバッファ４６に記憶された画像の解像度を、表示手段４１における表示領域の解像度と同じ解像度、すなわち１０２４×７６８の解像度に調整し、調整した画像を生成して表示手段４１に出力する。
【００３０】
ここで、例えば、スケーラ４５にて生成される画像の解像度を、１０２４×７６８に指定すると、スケーラ４５のドットクロックは、略６５ＭＨｚであるので、スケーラ４５から出力される画像のリフレッシュレートを６０Ｈｚとすることができる。
なお、スケーラ４５における水平周期、垂直周期、および画像の解像度は、後述する制御手段４７により設定される。
【００３１】
制御手段４７は、図示しないＣＰＵや、メモリ等を含んで構成され、ＧＰＵ４３、及びスケーラ４５を制御する他、画像表示装置４全体を制御するものであり、制御切替部４７１と、分割画像生成部４７２と、分割転送部４７３と、画像合成部４７４とを備える。なお、メモリには、後述する画像表示処理を画像表示装置４に実行させる画像表示プログラムが記憶されている。
【００３２】
制御切替部４７１は、主制御装置３からの制御コマンドに応じて、分割画像生成部４７２、分割転送部４７３、及び画像合成部４７４にてＧＰＵ４３、及びスケーラ４５を制御するか否かを切り替える。
具体的に、主制御装置３は、抽選処理の結果に応じた演出パターンの動画像における通常時や、演出発生時などのシーンの切り替えに応じて、高精細な画像を表示手段４１に表示させたい場合には、ＧＰＵ４３、及びスケーラ４５を制御するように制御切替部４７１に切り替えさせる。また、スケーラ４５にて拡大された画像を表示手段４１に表示させたい場合には、ＧＰＵ４３、及びスケーラ４５を制御しないように制御切替部４７１に切り替えさせる。
【００３３】
分割画像生成部４７２は、ＧＰＵ４３における水平周期、垂直周期、および画像の解像度を設定し、表示手段４１に表示させる１０２４×７６８の解像度の画像（以下、全体画像とする）を半分に分割した１０２４×３８４の解像度の画像（以下、分割画像とする）をＧＰＵ４３に生成させる。ここで、ＧＰＵ４３にて生成される画像の解像度を、１０２４×３８４に設定すると、ＧＰＵ４３のドットクロックは、略３７ＭＨｚであるので、ＧＰＵ４３から転送される画像のリフレッシュレートを６０Ｈｚとすることができる。
【００３４】
なお、ＧＰＵ４３に全体画像を生成させてスケーラ４５に転送させると、ＧＰＵ４３のドットクロックは、略３７ＭＨｚであるので、ＧＰＵ４３から転送される画像のリフレッシュレートは４０Ｈｚ程度となる。この場合には、表示手段４１に入力される画像のリフレッシュレートと、表示手段４１のリフレッシュレートとは大きく異なるので、表示手段４１の寿命を縮めることになるとともに、表示手段４１にて表示される画像にちらつきが発生し好ましくない。
【００３５】
分割転送部４７３は、分割画像生成部４７２にて生成された分割画像をＧＰＵ４３に転送させる。
画像合成部４７４は、分割転送部４７３にて転送された分割画像をスケーラ４５に合成させる。
【００３６】
次に、パチンコ機１の画像表示装置４による画像表示方法について図２〜図４を参照して説明する。図２は、画像表示装置４による画像表示処理を示すフローチャートである。図３は、全体画像の上半分の分割画像を転送している状態を示す図である。図４は、全体画像の下半分の分割画像を転送している状態を示す図である。
画像表示装置４は、主制御装置３から出力された所定の制御コマンドが入力され、制御切替部４７１において分割画像生成部４７２、分割転送部４７３、及び画像合成部４７４にてＧＰＵ４３、及びスケーラ４５を制御するように切り替えられると、制御手段４７のメモリ（図示略）に記憶された画像表示プログラムに従って、画像表示処理を実行する。
【００３７】
画像表示処理が実行されると、図２に示すように、まず、分割画像生成部４７２は、全体画像の上半分の分割画像（以下、上側分割画像５Ａとする）をＧＰＵ４３に生成させる（ステップＳ１）。そして、ＧＰＵ４３にて生成された上側分割画像５Ａは、図３に示すように、表示バッファ４４に記憶される。
表示バッファ４４に上側分割画像５Ａが記憶されると、分割転送部４７３は、上側分割画像５ＡをＧＰＵ４３に転送させる（ステップＳ２）。
ＧＰＵ４３にて上側分割画像５Ａが転送されると、画像合成部４７４は、転送された上側分割画像５Ａをフレームバッファ４６に記憶させる（ステップＳ３）。
【００３８】
ここで、ＧＰＵ４３にて転送される画像を記憶するフレームバッファ４６は、図３、及び図４に示すように、２フレーム分の全体画像を記憶できる記憶領域Ａ，Ｂを有している。なお、本実施形態では、各記憶領域Ａ，Ｂにおける先頭アドレスをアドレスＡ１，Ｂ１とし、各記憶領域Ａ，Ｂを半分に分割した場合における下半分の領域の先頭アドレスをアドレスＡ２，Ｂ２とする。
そして、スケーラ４５は、制御手段４７にて指定される先頭アドレスの値に応じて、ＧＰＵ４３から転送される画像をフレームバッファ４６に記憶させ（以下、書込処理とする）、フレームバッファ４６に記憶された画像を表示手段４１に出力する（以下、読出処理とする）。
【００３９】
以下、スケーラ４５の書込処理、及び読出処理について説明する。
スケーラ４５では、書込処理をするための先頭アドレスは、２つの変数Ｘ１，Ｘ２に指定し、読出処理をするための先頭アドレスは、２つの変数Ｙ１，Ｙ２に指定する。そして、スケーラ４５は、変数Ｘ１に指定された先頭アドレスに基づいて書込処理をしている際には、変数Ｙ２に指定された先頭アドレスに基づいて読出処理をし、変数Ｘ２に指定された先頭アドレスに基づいて書込処理をしている際には、変数Ｙ１に指定された先頭アドレスに基づいて読出処理をする。すなわち、スケーラ４５は、各変数Ｘ１，Ｘ２，Ｙ１，Ｙ２に指定された先頭アドレスを自動的に切り替えながら書込処理、及び読出処理を行っている。
したがって、制御手段４７にて、変数Ｘ１にアドレスＡ１を指定し、変数Ｘ２にアドレスＢ１を指定し、変数Ｙ１にアドレスＡ１を指定し、変数Ｙ２にアドレスＢ１を指定することで、スケーラ４５において全体画像の書込処理、及び読出処理をすることができる。
【００４０】
ここで、例えば、制御手段４７にて、変数Ｘ１，Ｘ２にアドレスＡ１を指定し、変数Ｙ１，Ｙ２にアドレスＢ１を指定すると、スケーラ４５は、各変数Ｘ１，Ｘ２，Ｙ１，Ｙ２に指定された先頭アドレスを切り替えた場合であっても、アドレスＡ１に基づいて書込処理をし、アドレスＢ１に基づいて読出処理をすることになる。すなわち、制御手段４７にてスケーラ４５の書込処理、及び読出処理を制御することができる。なお、制御手段４７にてスケーラ４５の書込処理、及び読出処理を制御する場合には、ＧＰＵ４３にて転送される画像のフレームの更新に同期して各変数Ｘ１，Ｘ２，Ｙ１，Ｙ２に指定する先頭アドレスを書き換える必要がある。すなわち、制御手段４７は、各変数Ｘ１，Ｘ２，Ｙ１，Ｙ２を前述した垂直ブランキング期間内に書き換える必要がある。
【００４１】
したがって、本実施形態におけるステップＳ３では、画像合成部４７４は、書込処理をするための先頭アドレスをとしてアドレスＢ１を指定し、読出処理をするための先頭アドレスとしてアドレスＡ１を指定することで、図３に示すように、記憶領域Ｂにおける上半分の領域に上側分割画像５Ａを記憶させる。なお、図３、及び図４においては、読出処理をするための先頭アドレスとして指定されたアドレスを黒色で示している。以下の図面においても同様である。
【００４２】
記憶領域Ｂにおける上半分の領域に上側分割画像５Ａが記憶されると、分割画像生成部４７２は、全体画像の下半分の分割画像（以下、下側分割画像５Ｂとする）をＧＰＵ４３に生成させる（ステップＳ４）。そして、ＧＰＵ４３にて生成された下側分割画像５Ｂは、図４に示すように、表示バッファ４４に記憶される。
【００４３】
表示バッファ４４に下側分割画像５Ｂが記憶されると、分割転送部４７３は、下側分割画像５ＢをＧＰＵ４３に転送させる（ステップＳ５）。
ＧＰＵ４３にて下側分割画像５Ｂが転送されると、画像合成部４７４は、転送された下側分割画像５Ｂをフレームバッファ４６に記憶させる（ステップＳ６）。この際、画像合成部４７４は、書込処理をするための先頭アドレスをとしてアドレスＢ２を指定し、読出処理をするための先頭アドレスとしてアドレスＡ１を指定することで、図４に示すように、記憶領域Ｂにおける下半分の領域に下側分割画像５Ｂを記憶させる。
【００４４】
以上のステップＳ１〜Ｓ６が実行されることで、記憶領域Ｂに全体画像５が記憶される。すなわち、本発明における分割転送ステップは、ステップＳ２，Ｓ５に相当し、画像合成ステップは、ステップＳ３，Ｓ６に相当する。
そして、画像合成部４７４は、書込処理をするための先頭アドレスをとしてアドレスＡ１を指定し、読出処理をするための先頭アドレスとしてアドレスＢ１を指定することで、全体画像を出力する（ステップＳ７）。
なお、ステップＳ７の実行と同時に、ＧＰＵ４３にて転送される次のフレームの画像についての書込処理が開始され、画像表示処理は、繰り返し実行される。
【００４５】
本実施形態に係るパチンコ機１によれば、次のような効果がある。
（１）分割転送部４７３は、全体画像５を分割した画像をＧＰＵ４３に転送させ、画像合成部４７４は、分割転送部４７３にて転送された画像をスケーラ４５に合成させることができる。したがって、ＧＰＵ４３にて転送可能な画像の解像度が小さい場合であっても、スケーラ４５は、ＧＰＵ４３にて転送された画像を合成して高精細な画像とすることができる。そして、表示手段４１は、スケーラ４５から出力された画像を表示するので、画像表示装置４は、高精細な画像を表示することができる。
【００４６】
（２）制御手段４７は、全体画像５を分割した上側分割画像５Ａ、及び下側分割画像５ＢをＧＰＵ４３に生成させる分割画像生成部４７２を備え、分割転送部４７３は、上側分割画像５Ａ、及び下側分割画像５ＢをＧＰＵ４３に転送させるので、上側分割画像５Ａを生成、及び転送する時間と、下側分割画像５Ｂを生成、及び転送する時間とを同じ時間にすることができる。したがって、全体画像５を分割した画像を効率よくＧＰＵ４３に転送させることができる。
（３）制御切替部４７１は、主制御装置３からの制御コマンドに応じて、分割画像生成部４７２、分割転送部４７３、及び画像合成部４７４にてＧＰＵ４３、及びスケーラ４５を制御するか否かを切り替えるので、効率よく表示手段４１に画像を表示させることができる。
【００４７】
〔第２実施形態〕
本発明の第２実施形態に係るパチンコ機１Ａについて説明する。
なお、以下の説明では、既に説明した部分については、同一符号を付してその説明を省略する。
図５は、パチンコ機１Ａの概略構成を示すブロック図である。
前記第１実施形態に係るパチンコ機１を構成する画像表示装置４は、全体画像５を半分に分割した分割画像をＧＰＵ４３に生成させる分割画像生成部４７２を備え、分割転送部４７３は、分割画像生成部４７２にて生成された分割画像をＧＰＵ４３に転送させていた。
これに対して、本実施形態に係るパチンコ機１Ａを構成する画像表示装置４Ａは、図５に示すように、全体画像をＧＰＵ４３に生成させる全体画像生成部４７５を備え、分割転送部４７３Ａは、ＧＰＵ４３に全体画像を分割して転送させている点で異なる。
【００４８】
次に、パチンコ機１Ａの画像表示装置４Ａによる画像表示方法について図６〜図８を参照して説明する。図６は、画像表示装置４Ａによる画像表示処理を示すフローチャートである。図７は、全体画像の上半分の画像を分割して転送している状態を示す図である。図８は、全体画像の下半分の画像を分割して転送している状態を示す図である。
【００４９】
画像表示処理が実行されると、図６に示すように、まず、全体画像生成部４７５は、全体画像５をＧＰＵ４３に生成させる（ステップＳ１１）。そして、ＧＰＵ４３にて生成された全体画像５は、図７に示すように、表示バッファ４４に記憶される。
表示バッファ４４に全体画像５が記憶されると、分割転送部４７３Ａは、ＧＰＵ４３に全体画像５を分割させて上側部分を転送させる（ステップＳ１２）。
ＧＰＵ４３にて全体画像５の上側部分が転送されると、画像合成部４７４は、転送された全体画像５の上側部分をフレームバッファ４６の記憶領域Ｂにおける上半分の領域に記憶させる（ステップＳ１３）。
【００５０】
記憶領域Ｂにおける上半分の領域に全体画像５の上側部分が記憶されると、分割転送部４７３Ａは、図８に示すように、ＧＰＵ４３に全体画像５を分割させて下側部分を転送させる（ステップＳ１４）。
ＧＰＵ４３にて全体画像５の下側部分が転送されると、画像合成部４７４は、転送された全体画像５の下側部分をフレームバッファ４６の記憶領域Ｂにおける下半分の領域に記憶させる（ステップＳ１５）。
【００５１】
以上のステップＳ１１〜Ｓ１５が実行されることで、記憶領域Ｂに全体画像５が記憶される。すなわち、本発明における分割転送ステップは、ステップＳ１２，Ｓ１４に相当し、画像合成ステップは、ステップＳ１３，Ｓ１５に相当する。
そして、前記第１実施形態と同様に、画像合成部４７４は、全体画像５を出力する（ステップＳ７）。
【００５２】
このような本実施形態においても、前記第１実施形態における（１），（３）と同様の作用、効果を得ることができる他、以下の作用、効果を奏することができる。
（４）ＧＰＵ４３は、全体画像５を生成するので、ＣＧＲＯＭ４２に記憶されたキャラクタ画像データに基づく画像を生成しやすくすることができる。
【００５３】
〔実施形態の変形〕
なお、本発明は前記実施形態に限定されるものではなく、本発明の目的を達成できる範囲での変形、改良等は本発明に含まれるものである。
前記各実施形態では、分割転送部４７３，４７３Ａは、全体画像５を半分に分割した画像をＧＰＵ４３に転送させていたが、例えば、４分割した画像をＧＰＵ４３に転送させてもよい。要するに、分割転送部は、画像生成手段や、解像度調整手段などの仕様に応じて全体画像を分割して画像生成手段に転送させればよい。
前記各実施形態では、全体画像の解像度は、表示手段４１における表示領域の解像度と同じ解像度としていたが、この解像度より小さい解像度としてもよい。なお、この場合には、例えば、解像度調整手段にて解像度を調整することなく、表示手段における表示領域の一部に全体画像を表示させてもよく、解像度調整手段にて解像度を調整し、表示手段における表示領域全体に全体画像を表示させてもよい。
【００５４】
前記各実施形態では、制御手段４７は、制御切替部４７１を備えていたが、解像度調整手段にて拡大された画像を表示手段に表示させるか、高精細な画像を表示手段に表示させるかを切り替える必要がない場合には、制御切替部を備えていなくてもよい。
前記各実施形態では、画像表示装置４，４Ａは、パチンコ機１，１Ａに用いられるとしたが、パチスロ機などの他の遊技機に用いてもよく、さらには、携帯機器や、オーディオ機器などに用いてもよい。また、液晶テレビ等の画像表示装置に本発明を適用してもよい。
【産業上の利用可能性】
【００５５】
本発明は、画像表示装置に利用することができ、特に、遊技機に用いられる画像表示装置に好適に利用することができる。
【図面の簡単な説明】
【００５６】
【図１】本発明の第１実施形態に係るパチンコ機の概略構成を示すブロック図。
【図２】前記実施形態における画像表示装置による画像表示処理を示すフローチャート。
【図３】前記実施形態における全体画像の上半分の分割画像を転送している状態を示す図。
【図４】前記実施形態における全体画像の下半分の分割画像を転送している状態を示す図である。
【図５】本発明の第２実施形態に係るパチンコ機の概略構成を示すブロック図。
【図６】前記実施形態における画像表示装置による画像表示処理を示すフローチャート。
【図７】前記実施形態における全体画像の上半分の画像を分割して転送している状態を示す図。
【図８】前記実施形態における全体画像の下半分の画像を分割して転送している状態を示す図。
【符号の説明】
【００５７】
１，１Ａ…パチンコ機（遊技機）、４，４Ａ…画像表示装置、４１…表示手段、４３…ＧＰＵ（画像生成手段）、４５…スケーラ（解像度調整手段）、４７…制御手段、４７１…制御切替部、４７２…分割画像生成部、４７３，４７３Ａ…分割転送部、４７４…画像合成部、４７５…全体画像生成部。
【図１】
2009195370.tif 000003
【図２】
2009195370.tif 000004
【図３】
2009195370.tif 000005
【図４】
2009195370.tif 000006
【図５】
2009195370.tif 000007
【図６】
2009195370.tif 000008
【図７】
2009195370.tif 000009
【図８】
2009195370.tif 000010